(57)【要約】【課題】内枠側から前枠側に遊技球を流下させ得る球払出通路を備えた遊技機において、前枠開放時に遊技球の零れ落ちがより生じにくい構成を提供する。【解決手段】遊技機１において揺動部材６０は、前枠４の閉塞時には、当該前枠４に設けられた押圧部９９によって押圧されることでねじりばね７０の付勢に抗して第１揺動位置に設定され、前枠４の開放時には押圧部９９の離間により押圧が解除されて第２揺動位置に設定されるようになっている。この揺動部材６０は、底壁部４３の一部として構成される揺動壁部６２を備えると共に、上壁部４２と底壁部４３との間の通路内に位置する中心軸線Ｇ１を中心として回動するようになっており、第１揺動位置から第２揺動位置に変化するに伴い、揺動壁部６２の下流側端部が下流側に移動しつつ上壁部４２に接近するように変位するようになっている。【選択図】図１１
2011130946.tif 000002
【特許請求の範囲】
【請求項１】
遊技盤を保持する内枠と、
前記遊技盤の前面側において前記内枠に対し開閉可能に設けられた前枠と、
前記内枠側に設けられた球払出装置と、
前記内枠側に設けられた上流側通路と、前記前枠側に設けられた下流側通路とを含み、前記球払出装置から払い出された遊技球を前記上流側通路及び前記下流側通路によって前記前枠に設けられた球受皿に誘導する球払出通路と、
を備え、
前記前枠の閉塞時に前記下流側通路が前記上流側通路に隣接して配置されて前記球払出通路が連続し、前記前枠の開放時には前記下流側通路が前記上流側通路から離間して前記球払出通路が分断される遊技機であって、
前記上流側通路は、
上壁部と当該上壁部に対向する底壁部とを備えると共に、
前記上壁部及び前記底壁部のいずれか一方の壁部には、所定幅方向に沿った中心軸線を中心として揺動する揺動壁部を備えると共に、前記揺動壁部と他方の壁部との間を前記遊技球が通過可能となる第１揺動位置と、前記揺動底壁部と前記他方の壁部との間を前記遊技球が通過不能となる第２揺動位置とで変位する揺動部材が設けられ、
前記内枠には、
前記揺動部材を揺動可能に支持する支持部と、
前記揺動部材を前記第２揺動位置側に付勢する付勢手段と、
が設けられており、
前記前枠の閉塞時には、当該前枠に設けられた所定の押圧部によって押圧されることで前記付勢手段による付勢に抗して前記揺動部材が前記第１揺動位置に設定され、
前記前枠の開放時には前記押圧部が前記揺動部材から離間することで押圧が解除されて前記揺動部材が前記第２揺動位置に設定され、
前記揺動部材は、前記中心軸線が前記上壁部と前記底壁部との間の通路内又は当該通路を挟んだ前記他方の壁部側に配置されると共に、前記第１揺動位置から前記第２揺動位置に変化するに伴い、前記揺動壁部の下流側端部が下流側に移動しつつ前記他方の壁部に接近するように変位することを特徴とする遊技機。
【請求項２】
前記揺動部材は、
前記上流側通路の幅方向両側に配置される一対の揺動側壁部を備え、
これら一対の前記揺動側壁部のそれぞれの一端側が揺動可能に支持されており、それぞれの他端側に前記揺動壁部が架け渡されて配置されていることを特徴とする請求項１に記載の遊技機。
【請求項３】
前記一方の壁部は前記底壁部であり、
前記他方の壁部は前記上壁部であり、
前記底壁部の一部として前記揺動壁部が設けられており、
前記揺動部材は、前記中心軸線が前記上壁部と前記底壁部との間の通路内又は当該通路を挟んだ前記上壁部側に配置されると共に、前記第１揺動位置から前記第２揺動位置に変化するに伴い、前記揺動壁部の下流側端部が下流側に移動しつつ前記上壁部に接近するように変位することを特徴とする請求項１又は請求項２に記載の遊技機。
【請求項４】
前記揺動部材が前記第２揺動位置にあるとき、前記揺動壁部の下流側端部が前記第１揺動位置のときのよりも高く設定され、前記揺動壁部の上流側端部が前記第１揺動位置のときよりも低く設定されることを特徴とする請求項３に記載の遊技機。
【請求項５】
前記揺動部材は、前記第１揺動位置のときには前記揺動壁部の上流側部分よりも下流側部分の方が低い第１傾斜状態となり、前記第２回動位置のときには前記揺動壁部の前記上流側部分よりも前記下流側部分の方が高い第２傾斜状態となることを特徴とする請求項３又は請求項４に記載の遊技機。
【請求項６】
前記底壁部は、前記揺動壁部の上流側に配置される固定壁部を備え、
前記揺動部材は、
前記第１揺動位置のときには、前記揺動壁部の上流側端部が前記固定壁部の前記底壁部における下流側端部に当接又は近接して配置され、
前記第２揺動位置のときには、前記揺動壁部の前記上流側端部が前記固定壁部の前記下流側端部から離間すると共に、前記揺動壁部の前記上流側端部の方が前記固定壁部の前記下流側端部よりも低い段差状態となり、且つ前記揺動壁部の上流側よりも下流側の方が高くなるように傾斜して配置されることを特徴とする請求項３から請求項５のいずれか一項に記載の遊技機。
【請求項７】
前記固定壁部には、前記揺動壁部の上流側への回動を規制する上流側規制部が設けられていることを特徴とする請求項６に記載の遊技機。
【請求項８】
前記固定壁部の前記底壁部における前記下流側端部が前記上流側規制部であり、
前記第１揺動位置のときに前記揺動壁部の前記上流側端部が前記固定壁部の前記下流側端部と当接することで前記揺動壁部の上流側への回動が規制されることを特徴とする請求項７に記載の遊技機。
【請求項９】
前記上流側通路は、当該上流側通路の幅方向両側に対向して配置される一対の側壁部を備え、
前記側壁部又は前記側壁部に固定された部材に、前記揺動壁部の下流側への回動を規制する下流側規制部が設けられていることを特徴とする請求項１から請求項８のいずれか一項に記載の遊技機。
【請求項１０】
前記揺動部材は、前記揺動壁部の上流側の所定位置から下方に延出する延出部を備え、
前記押圧部は、前記下流側通路の底部の前方側に設けられており、
前記前枠の閉塞時には、前記下流側通路の前記底部が前記揺動壁部の下方に配置されると共に前記押圧部が前記延出部を上流側に押し出すことで前記揺動部材が前記第１揺動位置に設定され、
前記前枠の開放時には、前記前記下流側通路の前記押圧部が前記延出部から離間することで当該押圧部による押圧が解除され、前記付勢手段によって前記揺動壁部が前記第２揺動位置に戻されることを特徴とする請求項１から請求項９のいずれか一項に記載の遊技機。
【発明の詳細な説明】
【技術分野】
【０００１】
本発明は、遊技機に関するものである。
【背景技術】
【０００２】
パチンコ機などの遊技機には、矩形状の外枠に対して内枠が開閉可能に組み付けられ、該内枠にヒンジを介して前枠が開閉可能に配置されている。また、内枠の前面側には、遊技盤が着脱可能に組み付けられ、前枠には球受皿が設けられている。球受皿は、遊技球を一時的に貯留し、該貯留した遊技球を内枠に設けられる発射装置の発射位置へ誘導する。そして、前枠には発射ハンドルが設けられ、該発射ハンドルの操作により発射装置を作動させる。
【０００３】
また、内枠の背面側には図柄表示装置の画像処理基板や、パチンコ機の動作を制御する主制御基板などを含む制御ユニットが組み付けられている。また、遊技場の遊技機島から供給された遊技球を貯留する補給タンク、補給タンクの遊技球を下流側へ誘導するタンクレール、タンクレールから球圧を分散させながら流下させる球通路、球通路より供給された遊技球を、所定の条件に基づいて賞球・貸球として遊技球を払い出す球払出装置が設けられている。球払出装置から球払出通路を経て払出口より払い出された遊技球は前枠に設けられた球受皿に一時的に貯留される。
【０００４】
遊技者が遊技中に、スタッフが球詰りの解消やパチンコ機の点検をするために前枠を開放する場合がある。このとき、球受皿が遊技球で満杯で球払出通路まで遊技球で満たされていたり、入賞により賞球の払出し動作が行われていたりすると、球払出通路を流下、或いは停留している遊技球が床などに零れ落ちる可能性がある。ここで、球払出装置から払い出された遊技球は遊技者の球となるため、球零れなどが許されない。
【０００５】
かかる問題を解消するため、機枠のパチンコ球誘導部の開口部近傍に弾性部材の弾性力により可動する第１可動部を設け、前皿部扉を機枠より開放する際に第１可動部を傾斜させることで遊技球の落下を抑制し、前皿部扉に設けた弾性部材の弾性力により可動する第２可動部（シャッター）を当該前皿部扉の開放に合わせて前皿部後部に移動させて当該前皿部からの遊技球の落下を抑制する技術が提案されている（特許文献１参照）。
【先行技術文献】
【特許文献】
【０００６】
【特許文献１】特開２００２−１１９７１８公報
【発明の概要】
【発明が解決しようとする課題】
【０００７】
特許文献１の遊技機では、出口部分５０（第１可動部）の端部付近を回動中心として先端側（下流側）が上下に変位するように構成されており、先端側（下流側）が下方に位置する下り傾斜状態のときには前皿部扉側への流下が許容され、先端側が上方に位置する上り傾斜状態のときには、出口部分５０（第１可動部）付近で遊技球の流下が堰き止められるようになっている。しかしながら、この構成では、出口部分５０（第１可動部）付近を流下する遊技球の流下速度が速い場合や出口部分５０（第１可動部）の上を遊技球が流れている場合など、遊技球が出口部分５０（第１可動部）を乗り越えて零れ落ちやすいケースが懸念される。特に、後続の遊技球からの球圧が大きい場合にはこの問題が一層深刻となる。また、特許文献１の構成では、出口部分５０（第１可動部）を片持ち状に回動可能に支持しているため、出口部分５０（第１可動部）への負荷が大きく、耐久性の問題も懸念される。
【０００８】
本発明は、上述した課題を解決するためになされたものであり、内枠側から前枠側に遊技球を流下させ得る球払出通路を備えた遊技機において、前枠開放時に遊技球の零れ落ちがより生じにくい構成を提供することを目的とする。
【課題を解決するための手段】
【０００９】
本発明は、遊技盤を保持する内枠と、前記遊技盤の前面側において前記内枠に対し開閉可能に設けられた前枠と、前記内枠側に設けられた球払出装置と、前記内枠側に設けられた上流側通路と、前記前枠側に設けられた下流側通路とを含み、前記球払出装置から払い出された遊技球を前記上流側通路及び前記下流側通路によって前記前枠に設けられた球受皿に誘導する球払出通路と、を備え、前記前枠の閉塞時に前記下流側通路が前記上流側通路に隣接して配置されて前記球払出通路が連続し、前記前枠の開放時には前記下流側通路が前記上流側通路から離間して前記球払出通路が分断される遊技機であって、前記上流側通路は、上壁部と当該上壁部に対向する底壁部とを備えると共に、前記上壁部及び前記底壁部のいずれか一方の壁部には、所定幅方向に沿った中心軸線を中心として揺動する揺動壁部を備えると共に、前記揺動壁部と他方の壁部との間を前記遊技球が通過可能となる第１揺動位置と、前記揺動底壁部と前記他方の壁部との間を前記遊技球が通過不能となる第２揺動位置とで変位する揺動部材が設けられ、前記内枠には、前記揺動部材を揺動可能に支持する支持部と、前記揺動部材を前記第２揺動位置側に付勢する付勢手段と、が設けられており、前記前枠の閉塞時には、当該前枠に設けられた所定の押圧部によって押圧されることで前記付勢手段による付勢に抗して前記揺動部材が前記第１揺動位置に設定され、前記前枠の開放時には前記押圧部が前記揺動部材から離間することで押圧が解除されて前記揺動部材が前記第２揺動位置に設定され、前記揺動部材は、前記中心軸線が前記上壁部と前記底壁部との間の通路内又は当該通路を挟んだ前記他方の壁部側に配置されると共に、前記第１揺動位置から前記第２揺動位置に変化するに伴い、前記揺動壁部の下流側端部が下流側に移動しつつ前記他方の壁部に接近するように変位することを特徴としている。
【００１０】
本発明において、前記揺動部材が、前記上流側通路の幅方向両側に配置される一対の揺動側壁部を備えていてもよい。そして、これら一対の前記揺動側壁部のそれぞれの一端側が揺動可能に支持され、それぞれの他端側に前記揺動壁部が架け渡されて配置されていてもよい。
【００１１】
本発明において、前記一方の壁部が前記底壁部であり、前記他方の壁部が前記上壁部であり、前記底壁部の一部として前記揺動壁部が設けられていてもよい。この場合、前記揺動部材は、前記中心軸線が前記上壁部と前記底壁部との間の通路内又は当該通路を挟んだ前記上壁部側に配置されると共に、前記第１揺動位置から前記第２揺動位置に変化するに伴い、前記揺動壁部の下流側端部が下流側に移動しつつ前記上壁部に接近するように変位することが望ましい。
【００１２】
また、本発明は、前記揺動部材が前記第２揺動位置にあるとき、前記揺動壁部の下流側端部が前記第１揺動位置のときよりも高く設定され、前記揺動壁部の上流側端部が前記第１揺動位置のときよりも低く設定されるように構成されていてもよい。
【００１３】
また、本発明において、前記揺動部材は、前記第１揺動位置のときには前記揺動壁部の上流側部分よりも下流側部分の方が低い第１傾斜状態となり、前記第２回動位置のときには前記揺動壁部の前記上流側部分よりも前記下流側部分の方が高い第２傾斜状態となるように構成されていてもよい。
【００１４】
また、本発明において、前記底壁部が前記揺動壁部の上流側に配置される固定壁部を備えていてもよい。この場合、前記揺動部材は、前記第１揺動位置のときに、前記揺動壁部の上流側端部が前記固定壁部の前記底壁部における下流側端部に当接又は近接して配置され、前記第２揺動位置のときに、前記揺動壁部の前記上流側端部が前記固定壁部の前記下流側端部から離間すると共に、前記揺動壁部の前記上流側端部の方が前記固定壁部の前記下流側端部よりも低い段差状態となり、且つ前記揺動壁部の上流側よりも下流側の方が高くなるように傾斜して配置されるように構成されていることが望ましい。
【００１５】
また、本発明において、前記固定壁部に前記揺動壁部の上流側への回動を規制する上流側規制部が設けられていてもよい。
【００１６】
また、前記固定壁部の前記底壁部における前記下流側端部を前記上流側規制部として機能させ、前記第１揺動位置のときに前記揺動壁部の前記上流側端部が前記固定壁部の前記下流側端部と当接することで前記揺動壁部の上流側への回動が規制されるように構成してもよい。
【００１７】
また、本発明において、前記上流側通路が、当該上流側通路の幅方向両側に対向して配置される一対の側壁部を備えていてもよい。この場合、前記側壁部又は前記側壁部に固定された部材に、前記揺動壁部の下流側への回動を規制する下流側規制部が設けられていることが望ましい。
【００１８】
また、本発明では、前記揺動部材において、前記揺動壁部の上流側の所定位置から下方に延出する延出部が設けられ、前記押圧部が、前記下流側通路の底部の前方側に設けられていてもよい。そして、前記前枠の閉塞時には、前記下流側通路の前記底部が前記揺動壁部の下方に配置されると共に前記押圧部が前記延出部を上流側に押し出すことで前記揺動部材が前記第１揺動位置に設定され、前記前枠の開放時には、前記前記下流側通路の前記押圧部が前記延出部から離間することで当該押圧部による押圧が解除され、前記付勢手段によって前記揺動壁部が前記第２揺動位置に戻されるように構成されていてもよい。
【発明の効果】
【００１９】
本発明に係る遊技機は、前枠の閉塞時に前枠側の下流側通路と内枠側の上流側通路とが隣接して配置されて球払出通路が連続し、前枠の開放時には下流側通路が上流側通路から離間して球払出通路が分断されるように構成されている。更に、上流側通路には、上壁部と当該上壁部に対向する底壁部とが設けられ、これら上壁部及び底壁部のいずれか一方の壁部には、所定幅方向に沿った中心軸線を中心として揺動する揺動壁部が設けられている。そして、この揺動壁部は、揺動壁部と他方の壁部との間を前記遊技球が通過可能となる第１揺動位置と、前記揺動底壁部と前記他方の壁部との間を前記遊技球が通過不能となる第２揺動位置とで変位するように構成されている。そして、前枠の閉塞時には、当該前枠に設けられた所定の押圧部によって押圧されることで付勢手段による付勢に抗して揺動部材が第１揺動位置に設定され、前枠の開放時には押圧部が前記揺動部材から離間することで押圧が解除され、揺動部材が第２揺動位置に設定されるようになっている。
このようにすると、前枠の閉塞時には下流側通路と上流側通路とが隣接して球払出通路が連続すると共に揺動部材が第１揺動位置（揺動壁部と他方の壁部との間を遊技球が通過可能となる位置）に設定されるため、内枠側から前枠側に遊技球を流下させることができる。一方、前枠の開放時には、押圧部による押圧が解除され、付勢手段によって揺動部材が第２揺動位置（揺動壁部と他方の壁部との間を遊技球が通過不能となる位置）に設定されるため、下流側通路と上流側通路とが離間して球払出通路が分断されても、上流側通路から遊技球が零れ落ちにくくなる。
更に、本発明で用いられる揺動部材は、中心軸線が上壁部と底壁部との間の通路内又は当該通路を挟んだ他方の壁部側に配置されるように構成され、且つ第１揺動位置から第２揺動位置に変化するに伴い、揺動壁部の下流側端部が下流側に移動しつつ他方の壁部に接近するように構成されている。
このようにすると、前枠の開放に伴い、第１揺動位置のときに上壁部又は底壁部として機能していた部分を、少ない揺動動作で遮断部材として良好に機能させることができる。特に、中心軸線が通路内に配置される構成では、揺動部材の側部を大きく確保する必要がないため揺動部材全体をよりコンパクトに構成しつつ、少ない揺動動作で遮断部材として良好に機能させることができるようになる。また、中心軸線が通路を挟んだ他方の壁部側に配置される構成では、揺動半径を比較的大きく確保することができるため、より少ない角度変化で遮断部材として良好に機能させることができるようになる。また、これらいずれの場合にも、揺動部材において中心軸線から揺動壁部に続く連結部分が流路の側方に配置される格好となるため、このような連結部分のスペースを流路の上方側や下方側に大きく確保する必要がなく、全体として高さ方向（上下方向）のコンパクト化を図ることができる。更に、当該揺動壁部付近を流れる遊技球の流下の向きと同じ側に揺動壁部を変位させながら当該揺動壁部を通路内に進入させて堰き止めることができるため、前枠開放時に揺動壁部付近を流下する遊技球についても堰き止めやすく、より零れにくい構成を実現できる。また、揺動壁部を全体的に下流側にスライドさせて上流側通路内に進入させることができるため、第２回動位置のときにより球圧に強い構成となる。
【００２０】
本発明において、前記揺動部材が、前記上流側通路の幅方向両側に配置される一対の揺動側壁部を備えていてもよい。そして、これら一対の前記揺動側壁部のそれぞれの一端側が揺動可能に支持され、それぞれの他端側に前記揺動壁部が架け渡されて配置されていてもよい。
このようにすると、特許文献１のようなシャッター部材の端部付近を回動軸として片持ち状に支持するような構成と比較して衝撃に強く耐久性に優れることとなる。特に、両揺動側壁部に架け渡された揺動壁部によって流下する遊技球を受けることができるため、揺動壁部全体で球圧を良好に吸収できる。
【００２１】
本発明において、前記一方の壁部が前記底壁部であり、前記他方の壁部が前記上壁部であり、前記底壁部の一部として前記揺動壁部が設けられていてもよい。この場合、前記揺動部材は、前記中心軸線が前記上壁部と前記底壁部との間の通路内又は当該通路を挟んだ前記上壁部側に配置されると共に、前記第１揺動位置から前記第２揺動位置に変化するに伴い、前記揺動壁部の下流側端部が下流側に移動しつつ前記上壁部に接近するように変位することが望ましい。
このように底壁部の一部を揺動壁部として変位させるようにすると、より少ない動き（揺動角度）で迅速に遊技球の流下を規制できるようになる。
【００２２】
また、本発明は、前記揺動部材が前記第２揺動位置にあるとき、前記揺動壁部の下流側端部が前記第１揺動位置のときよりも高く設定され、前記揺動壁部の上流側端部が前記第１揺動位置のときよりも低く設定されるように構成されていてもよい。
このように揺動壁部を変位させると、一端側を固定して他端側を上下動させるような構成（例えば特許文献１のような構成）と比較してより少ない動きで迅速に傾斜状態を変更でき、特に揺動壁部付近（例えば揺動壁部の上流側近傍）を遊技球が流下しているときに前枠が開放される場合に有利となる。
【００２３】
また、本発明において、前記揺動部材は、前記第１揺動位置のときには前記揺動壁部の上流側部分よりも下流側部分の方が低い第１傾斜状態となり、前記第２回動位置のときには前記揺動壁部の前記上流側部分よりも前記下流側部分の方が高い第２傾斜状態となるように構成されていてもよい。
このように揺動壁部を変位させると、前枠閉塞時の第１揺動位置のときには揺動壁部上を遊技球が迅速かつ円滑に流下し易くなり、前枠開放時の第２揺動位置のときには揺動壁部全体で球圧を確実に受けて遮断効果を高めることができる。
【００２４】
また、本発明において、前記底壁部が前記揺動壁部の上流側に配置される固定壁部を備えていてもよい。この場合、前記揺動部材は、前記第１揺動位置のときに、前記揺動壁部の上流側端部が前記固定壁部の前記底壁部における下流側端部に当接又は近接して配置され、前記第２揺動位置のときに、前記揺動壁部の前記上流側端部が前記固定壁部の前記下流側端部から離間すると共に、前記揺動壁部の前記上流側端部の方が前記固定壁部の前記下流側端部よりも低い段差状態となり、且つ前記揺動壁部の上流側よりも下流側の方が高くなるように傾斜して配置されるように構成されていることが望ましい。
このようにすると、前枠閉塞時の第１揺動位置のときには揺動壁部の上流側端部と固定壁部の底壁部における下流側端部とを位置的に揃えて遊技球が流下し易くすることができる。一方、前枠開放時の第２揺動位置のときには、揺動壁部の上流側端部の方が固定壁部の底壁部における下流側端部よりも低い段差状態となるため、この段落ち部分に遊技球を停留させることができる。従って、揺動壁部の下流側に加わる球圧を低減することができ、ひいては球圧に起因する球零れを効果的に抑制できる。
【００２５】
また、本発明において、前記固定壁部に前記揺動壁部の上流側への回動を規制する上流側規制部が設けられていてもよい。このようにすると、固定壁部の一部を揺動壁部の回動規制に兼用することができ、部品点数を抑えた簡易且つ小型構成で効率的に回動を規制することができる。また、固定壁部に対して揺動壁部を安定的に位置決めしやすく、位置ずれに起因する流下の阻害を効果的に抑制しやすくなる。
【００２６】
また、前記固定壁部の前記底壁部における前記下流側端部を前記上流側規制部として機能させ、前記第１揺動位置のときに前記揺動壁部の前記上流側端部が前記固定壁部の前記下流側端部と当接することで前記揺動壁部の上流側への回動が規制されるように構成してもよい。
このようにすると、固定壁部の底壁部の下流側端部を上流側規制部として機能させると共に回動規制時に当該下流側端部と揺動壁部の上流側端部とを位置的に揃えやすくなる。また、回動規制時に揺動壁部が固定壁部の下方に入り込まない構成となるため、高さ方向（上下方向）においてコンパクト化を図ることができる。
【００２７】
また、本発明において、前記上流側通路が、当該上流側通路の幅方向両側に対向して配置される一対の側壁部を備えていてもよい。この場合、前記側壁部又は前記側壁部に固定された部材に、前記揺動壁部の下流側への回動を規制する下流側規制部が設けられていることが望ましい。
このようにすると、側壁部の一部を揺動壁部の回動規制に兼用することができ、部品点数を抑えた簡易且つ小型構成で効率的に回動を規制することができる。
【００２８】
また、本発明では、前記揺動部材において、前記揺動壁部の上流側の所定位置から下方に延出する延出部が設けられ、前記押圧部が、前記下流側通路の底部の前方側に設けられていてもよい。そして、前記前枠の閉塞時には、前記下流側通路の前記底部が前記揺動壁部の下方に配置されると共に前記押圧部が前記延出部を上流側に押し出すことで前記揺動部材が前記第１揺動位置に設定され、前記前枠の開放時には、前記前記下流側通路の前記押圧部が前記延出部から離間することで当該押圧部による押圧が解除され、前記付勢手段によって前記揺動壁部が前記第２揺動位置に戻されるように構成されていてもよい。
このようにすると、前枠の開放後、ある程度の開放位置までは揺動壁部の下方に下流側通路の底部が存在し続けるため、前枠開放時に揺動壁部の下流側に存在する遊技球を下流側通路の底部によって受けやすくなり、前枠開放時の球零れをより一層効果的に防ぐことができる。
【図面の簡単な説明】
【００２９】
【図１】図１は、本発明の第１実施形態に係る遊技機を概略的に例示する正面図である。
【図２】図２は、本発明の第１実施形態に係る遊技機の背面図である。
【図３】図３は、本発明の第１実施形態に係る遊技機の特徴的部分について前枠を開放したときの状態を概略的に示す斜視図である。
【図４】図４は、第１実施形態に係る遊技機に用いられる球払出通路を例示する斜視図であり、前枠が閉じたときの様子を示すものである。
【図５】図５は、第１実施形態に係る遊技機に用いられる球払出通路を例示する斜視図であり、前枠が開いたときの様子を示すものである。
【図６】図６は、第１実施形態で用いられる上流側通路の分解斜視図である。
【図７】図７は、第１実施形態で用いられる球払出通路の正面図であり、前枠が閉じたときの様子を示すものである。
【図８】図８（Ａ）は、第１実施形態に係る遊技機で用いられる上流側通路の左側面図であり、前枠が閉じたときの様子を示すものである。図８（Ｂ）は、その状態にある上流側通路の右側面図である。
【図９】図９は、第１実施形態で用いられる上流側通路の平面図であり、前枠が閉じたときの様子を示すものである。
【図１０】図１０は、第１実施形態で用いられる上流側通路の正面図であり、前枠が開いたときの様子を示すものである。
【図１１】図１１（Ａ）は、図７のＡ−Ａ断面図であり、図１１（Ｂ）は、図１０のＢ−Ｂ断面図である。
【図１２】図１２は、第１実施形態で用いられる上流側通路を斜め下方から見た斜視図であり、図１２（Ａ）は、揺動部材が第１揺動位置にあるときの様子を示す図であり、図１２（Ｂ）は、揺動部材が第２揺動位置にあるときの様子を示す図である。
【図１３】図１３は、球払出通路について一部を断面として示す斜視一部断面図であり、図１３（Ａ）は上流側通路と下流側通路とが隣接した状態（前枠が閉じたときの状態）を示す図であり、図１３（Ｂ）は、下流側通路が離間した後の上流側通路の状態（前枠が開いたときの状態）を示す図である。
【発明を実施するための形態】
【００３０】
[第１実施形態]
以下、本発明に係る遊技機を具現化した第１実施形態について、図面を参照して説明する。
（遊技機の概要）
まず、図１、図２等を参照して第１実施形態に係る遊技機の概要を説明する。なお、図１は、本発明の第１実施形態に係る遊技機を概略的に例示する正面図である。また、図２は、図１の遊技機の背面図である。
【００３１】
図１に示すように、遊技機（以下、パチンコ機ともいう）１は、そのパチンコ機１の外郭を形成する額縁状の外枠２を備え、その外枠２の前面に一側をヒンジ２ａ，２ａを介して軸支して、その前面側に向かって片開き可能に内枠３が支持されている。そして、内枠３には、ガイドレール８により遊技領域５ａが形成された遊技盤５が装着され、その下方に発射機構（図示せず）が設けられている。また、内枠３の前方側にはガラス枠６及び球皿枠７を備えた前枠４が設けられている。前枠４の一部をなすガラス枠６は、ガラスなどの透明板を備えてなるものであり、ヒンジ２ｂを介して内枠３に開閉自在に取り付けられている。また、球皿枠７は、ヒンジ２ｃを介して内枠３に開閉自在に取り付けられており、その前面には遊技球を貯留し、且つ貯留した遊技球を整流して発射機構に供給する球受皿９が設けられている。また、この球受皿９の右下側には、遊技球の発射力を調節する発射ハンドル１０が設けられている。
【００３２】
なお、本明細書において、パチンコ機１における上下方向とは遊技盤５の盤面に沿う態様で遊技領域５ａを遊技球が流下する方向（図１等に示す代表例では鉛直方向）を意味する。また、左右方向とは遊技盤５の盤面に沿う態様で上下方向に直交する方向（図１等に示す代表例では水平方向）を意味する。また、前後方向とは遊技盤５の盤面に直交する方向（図１等に示す代表例では水平方向）を意味し、遊技盤５の遊技者側が前方側であり、遊技盤５の奥側（遊技領域５ａの反対側）が後方側である。
【００３３】
内枠３は、図２に示すように、アルミなどの金属や合成樹脂により縦長方形状で、中央に窓部１１が開設された枠状に形成されている。窓部１１の背面上方には、遊技機島の補給経路（図示せず）から補給される遊技球を貯留する補給タンク１２が設けられている。また、補給タンク１２の下流側に遊技球を整列して流下させる直線及び屈曲状の球誘導路１３が設けられている。また、その球誘導路１３の下流側には所定個数の遊技球を計数して払い出す球払出装置１４が設けられている。そして、その球払出装置１４の下流側には、該球払出装置１４から払出された遊技球を払出口４ａ（図１、図３参照）から球受皿９（図１参照）へと誘導する球払出通路１５が設けられている。
【００３４】
（球払出通路の構成）
本実施形態の特徴的部分である球払出通路１５について説明する。
図３は、本発明の第１実施形態に係る遊技機において前枠を開放した状態を概略的に示す斜視図である。図４は、第１実施形態に係る遊技機に用いられる球払出通路を例示する斜視図であり、前枠が閉じたときの様子を示すものである。図５は、第１実施形態に係る遊技機に用いられる球払出通路を例示する斜視図であり、前枠が開いたときの様子を示すものである。図６は、第１実施形態で用いられる上流側通路の分解斜視図である。図７は、第１実施形態で用いられる球払出通路の正面図であり、前枠が閉じたときの様子を示すものである。図８（Ａ）は、第１実施形態に係る遊技機で用いられる上流側通路の左側面図であり、前枠が閉じたときの様子を示すものである。図８（Ｂ）は、その状態にある上流側通路の右側面図である。図９は、第１実施形態で用いられる上流側通路の平面図であり、前枠が閉じたときの様子を示すものである。図１０は、第１実施形態で用いられる上流側通路の正面図であり、前枠が開いたときの様子を示すものである。図１１（Ａ）は、図７のＡ−Ａ断面図であり、図１１（Ｂ）は、図１０のＢ−Ｂ断面図である。図１２は、第１実施形態で用いられる上流側通路を斜め下方から見た斜視図であり、図１２（Ａ）は、揺動部材が第１揺動位置にあるときの様子を示す図であり、図１２（Ｂ）は、揺動部材が第２揺動位置にあるときの様子を示す図である。図１３は、球払出通路について一部を断面として示す斜視一部断面図であり、図１３（Ａ）は上流側通路と下流側通路とが隣接した状態（前枠が閉じたときの状態）を示す図であり、図１３（Ｂ）は、下流側通路が離間した後の上流側通路の状態（前枠が開いたときの状態）を示す図である。なお、図４、図５、図１３（Ｂ）では、下流側通路の回動の中心となる軸（即ち、前枠の回動中心軸）を符号Ｇ２にて概念的に示している。
【００３５】
本実施形態に係る遊技機１は、図１、図３に示すように、遊技盤５（図１）を保持する内枠３の前面側において前枠４が開閉可能に取り付けられており、内枠３側に球払出装置１４（図２）が設けられている。球払出通路１５は、この球払出装置１４から排出される遊技球を内枠３側から前枠４側に導くように構成されており、球払出装置１４から払い出された遊技球を前枠４に設けられた球受皿９に導くように機能している。
【００３６】
図３に示すように、球払出通路１５は、内枠３側に設けられた上流側通路１５ａと、前枠４側に設けられた下流側通路１５ｂとを備えた構成をなしており、図４に示すように、前枠４の閉塞時には下流側通路１５ｂが上流側通路１５ａに隣接して配置され、図３、図５のように、前枠４の開放時には下流側通路１５ｂが上流側通路１５ａから離間するように構成されている。
【００３７】
上流側通路１５ａは一体的なユニットとして構成されており、図２、図３に示すように、球払出装置１４から排出された遊技球を流入させて下方に誘導する下方誘導部２０と、この下方誘導部２０からの遊技球を前方に方向転換する方向転換部３０と、この方向転換部３０によって方向が転換された遊技球を下流側通路１５ｂに向けて導く出口側通路部４０とを備えている。なお、図４以降では上流側通路１５ａにおいて下方誘導部２０を省略して示すこととする。図３に示すように、下方誘導部２０は、中空状に形成されて上下に延びており、内部に上下方向の流路２１が形成されている。そして、この流路２１によって球払出装置１４から排出された遊技球を下方に導くように機能している。
【００３８】
方向転換部３０は、球払出装置１４から排出され、下方誘導部２０（図２等）によって下方に誘導された遊技球を受け入れ、この遊技球を前方側に向かわせるように方向転換している。図４、図９、図１１に示すように、この方向転換部３０は、下方誘導部２０に隣接する開口部３１を備えており、この開口部３１が上方側に開口する形態で配置されて下方誘導部２０からの遊技球を受け入れている。また、開口部３１の下方位置に湾曲して配置された湾曲部３３を備えており、この湾曲部３３の両端に側壁部４４、４５のそれぞれの後端側部分が配置されることで遊技球を下方向きから前方向きに折れ曲がる形態の流路が構成されている。
【００３９】
出口側通路部４０は、図８、図９、図１１に示すように、方向転換部３０からの遊技球を前方側に誘導するように前後方向に沿って流路が構成されている。この出口側通路部４０は、流路の天井壁として構成される上側の上壁部４２と、当該上壁部４２に対向する下側の底壁部４３とを備えており、この底壁部４３の上面は、遊技球が転動する転動面として構成されている。底壁部４３は、上壁部４２に対して相対移動不能に固定される固定壁部４９と、幅方向に沿った中心軸線Ｇ１を中心として揺動する揺動壁部６２とを備えた構成をなしており、更に、幅方向に一定の距離をあけて配置される一対の側壁部４４、４５を備えている。そして、揺動部材６０は、幅方向両端側が一対の側壁部４４、４５に回動可能（具体的には回動軸線Ｇ１（図７、図８）を中心として回動可能）に支持されており、揺動壁部６２と上壁部４２との間を遊技球が通過可能となる第１揺動位置と、揺動壁部６２と上壁部４２との間を遊技球が通過不能となる第２揺動位置とで変位するように構成されている。以下、この出口側通路部４０の構成を詳述する。
【００４０】
図６、図９に示すように、側壁部４４、４５は幅方向に対向して配置されており、これら側壁部４４、４５の上端部に架け渡される形態で上壁部４２が配置されている。なお、本実施形態では、中心軸線（回動軸線）Ｇ１と平行な方向を球払出通路１５の幅方向としている。また、これら側壁部４４、４５の下端部に架け渡される形態で固定壁部４９が配置されている（図１２も参照）。上壁部４２及び固定壁部４９は上記側壁部４４、４５に固定若しくは連結される形態でこれらと一体化されており、且つこれら上壁部４２及び固定壁部４９が互いに上下に対向する形態で配置されている。なお、図１１等に示す例では、これら上壁部４２と固定壁部４９との間には、遊技球１個分よりも若干大きい隙間が形成されている。
【００４１】
揺動部材６０は、例えば樹脂材料などによって一体成形されたものであり、側壁部４４、４５、上壁部４２、固定壁部４９が一体化されてなるベース体４０ａに揺動可能に取り付けられており、ベース体４０ａに対して相対移動可能に構成されている。この揺動部材６０は、上壁部４２と底壁部４３（固定壁部４９と揺動壁部６２からなる壁部）の間に位置する中心軸線Ｇ１を中心として回動するように構成されており、この中心軸線Ｇ１から離れた位置に配置される揺動壁部６２が当該中心軸線Ｇ１を中心として揺動（回動）するように構成されている。なお、揺動部材６０は、樹脂材料のみによって構成されているが、例えばインサート成形などによって板金等と一体化させ、剛性を高めるようにしてもよい。
【００４２】
図６に示すように、揺動部材６０の揺動壁部６２は、中心軸線Ｇ１に沿って長手状かつ板状に延びており、この揺動壁部６２の両端部から立ち上がる形態（具体的には、揺動壁部６２の内壁面から略直交する方向に立ち上がる形態）で一対の揺動側壁部６３、６４が配置されている。本実施形態では、揺動側壁部６３、６４のそれぞれの一端側が上記側壁部４４、４５に揺動可能に支持されており、それぞれの他端側に揺動壁部６２が架け渡される形態で配置されている。
【００４３】
また、側壁部６３の外側に突出する形態で中心軸線Ｇ１に沿って延びる軸状の円筒部６５が形成されている。この円筒部６５は円筒状に形成されており、側壁部４４の外側において中心軸線Ｇ１に沿うように突出して配置された軸部材８１と嵌合する構成で配置され、当該軸部材８１の周囲を回動し得るように保持されている。具体的には、図６、図１２に示すように、軸部材８１は、Ｌ状のプレート８７に対してねじ等の締結部材８６によって固定されており、このプレート８７がねじ等の締結部材８５によって側壁部４４の外側に中心軸線Ｇ１方向に延びる軸部材８１が配されるようになっている（図７〜図９も参照）。そして、このように配される軸部材８１に対して円筒部６５が嵌合し、この軸部材８１の周囲を円筒部６５が回動するように構成されることで、揺動部材６０の幅方向一端側が中心軸線Ｇ１を中心として回動することとなる。
【００４４】
なお、図７〜図９、図１２に示すように、軸部材８１は円筒部６５内を貫通して先端側が円筒部６５から突出するようになっており、この軸部材８１の先端側（円筒部６５から突出する部分）には、ワッシャ８３と抜け止め部材８２とが設けられている。ワッシャ８３は、後述するねじりばね７０のコイル部の外側（先端側）に配置されており、その更に外側に抜け止め部材８２が固定されてワッシャ８３及びねじりばね７０の抜け止めが図られている。なお、上記実施例では、プレート８７と軸部材８１とをねじ等の締結部材８６によって固定しているが、プレート８７と軸部材８１とをカシメなどによって一体化してもよい。このようすると締結部材８６を削減できることとなる。
【００４５】
一方、図６、図１３に示すように、幅方向において円筒部６５とは反対側には、側壁部６４の外側に突出する形態で中心軸線Ｇ１（図１３）に沿って延びる軸部６６が形成されている。この軸部６６は、側壁部４５に形成された軸受部４８に回動可能に支持（具体的には、円筒部材８８の孔内に挿入される形態で当該円筒部材８８を介して回動可能に支持）されており、これにより、揺動部材６０の幅方向他端側が中心軸線Ｇ１を中心として回動するようになっている。
【００４６】
次に、ねじりばね７０について説明する。ねじりばね７０は、「付勢手段」の一例に相当するものであり、一対の側壁部４４、４５（支持部）に揺動可能に支持される揺動部材６０を後述する第２揺動位置（図１１、図１２（Ｂ）、図１３（Ｂ）等に示す位置）側に付勢するように機能している。このねじりばね７０は、金属線材が巻き回されたコイル部７３とこのコイル部７３の両端側から延びる延出部７１、７２とを備えている。図８（Ａ）、図１２に示すように、コイル部７３は、上述の円筒部６５の周囲に嵌め合わされており、一方の延出部７１が側壁部４４に固定されたプレート８７に係止されており、側壁部４４に対する延出部７１の相対移動（詳しくは側壁部４４に固定されたプレート８７に対する相対移動）が規制されている。また、他方の延出部７２は、揺動部材６０に形成された係止部６８に係止（具体的には係止部６８内に形成された係止溝６７（図７）に係止）されており、延出部７２は揺動部材６０の所定位置に保持される形態でこの揺動部材６０と一体的に回動するようになっている。
【００４７】
このねじりばね７０は、図１２（Ａ）に示すように、延出部７１と延出部７２とが相対的に接近する位置関係となったときにこれら延出部７１、７２が離間する方向の付勢力が高まり、図１２（Ｂ）のように延出部７１と延出部７２とが若干離間した位置関係となったときにこれら延出部７１、７２が離間する方向の付勢力が若干弱まるようになっている。なお、本実施形態では、図１２（Ａ）（Ｂ）のいずれのときにも、延出部７１、７２が離間する方向の付勢力が生じるようになっており、一方の延出部７１がプレート８７に係止されているため、図１２（Ａ）（Ｂ）のいずれのときも、延出部７２には側壁部４４に対して所定方向（図８（Ａ）では反時計回り方向、図１１では時計回り方向）に回転しようとする付勢力が生じるようになっている（即ち、図１２（Ａ）（Ｂ）のいずれのときも、揺動部材６０が側壁部４４に対して所定回転方向（図８（Ａ）では反時計回り方向、図１１では時計回り方向）に付勢されている）。
【００４８】
次に、下流側通路１５ｂについて説明する。図３〜図５示すように、下流側通路１５ｂは、底壁部９１とこの底壁部９１の両側部からそれぞれ上方に立ち上がる一対の側壁部９２、９３とを備えた溝状形態をなしており、前方側の一部に上壁部９４が設けられている。この下流側通路１５ｂは、前枠４（図３）の閉塞時には図４に示すように上流側通路１５ｂに隣接して配置され、前後方向に沿って流路が構成され、後方側の上流側通路１５ａからの遊技球を前方側の払出口４ａ（図１、図３）に導くように機能している。
【００４９】
（球払出通路の動作）
次に、球払出通路１５の動作について説明する。
本実施形態に係る遊技機１では、上述したように揺動部材６０がベース体４０ａ（図１１）の一部をなす側壁部４４、４５に回動可能に支持されており、図４、図１１（Ａ）に示すように、前枠４の閉塞時には、当該前枠４に設けられた押圧部９９によって揺動壁部の延出部６９が押圧されることでねじりばね７０による付勢に抗して揺動部材６０が第１揺動位置に設定されるようになっている。図１０、図１１、図１２に示すように、延出部６９は、揺動部材６０において、揺動壁部６２の上流側の所定位置（図１１の例では先端部）から下方に延出する形態で設けられており、他方、図３、図５に示すように、押圧部９９は、下流側通路１５ｂにおける底壁部９１の先端部に形成されている。そして、前枠４の閉塞時には、図１１（Ａ）に示すように押圧部９９によって延出部６９が後方（上流側）に押し出されることで、揺動部材６０が第１揺動位置に回動し、揺動壁部６２が上流位置に保持されるようになっている。
【００５０】
一方、図５、図１１（Ｂ）に示すように、前枠４の開放時には、押圧部９９が揺動部材６０から離間することで押圧が解除され、このとき揺動部材６０は上述のねじりばね７０の付勢によって第２揺動位置に向けて回動する。本実施形態では、図１１に示すように、揺動部材６０の中心軸線Ｇ１が上壁部４２と底壁部４３との間の通路内に位置しており、揺動部材６０が第１揺動位置から第２揺動位置に変化するに伴い、揺動壁部６２の下流側端部６２ａが下流側に移動しつつ上壁部４２に接近するように変位する。
【００５１】
また、本実施形態では、図１１（Ａ）に示すように、前枠４の閉塞時に、下流側通路１５ｂの底部（底壁部９１）が揺動壁部６２の下方に配置されるようになっており、押圧部９９が揺動壁部６２の上流側に設けられた延出部６９を上流側に押し出すことで揺動部材６０が第１揺動位置に設定されるようになっている。従って、前枠４の開放直後、下流側通路１５ｂの押圧部９９が延出部６９から離間したとしても、前枠４がある程度開放するまでは、底壁部９１が揺動壁部６２の下方に存在し続けるようになっている。また、図１１（Ａ）のように、前枠４の閉塞時に揺動壁部６２の下流側端部６２ａと押圧部９９とが上下方向において重なるように構成されており、揺動壁部６２における下流側端部６２ａの下端が押圧部９９の上端よりも下方に位置するようになっている。従って、前枠４の開放時に何らかの原因（例えば何らかの応力に起因する変形などの原因）によって揺動部材６０が良好に作動しなかったとしても、前枠４の開放に伴って移動する押圧部９９が揺動壁部６２の下流側の下面を押すこととなり、確実に揺動部材６０を第２揺動位置に変位させることができるようになる。また、図１１（Ｂ）の位置では、延出部６９が揺動壁部６２の下端部において前方側に露出した形態で配置されるため、揺動壁部６２の下方で前後動する押圧部９９が良好に当接し得ることとなる。
【００５２】
また、本実施形態では、図１１（Ｂ）に示すように、揺動部材６０が第２揺動位置にあるとき、揺動壁部６２の下流側端部６２ａが第１揺動位置（図１１（Ａ））のときよりも高く設定され、揺動壁部６２の上流側端部６２ｂが第１揺動位置（図１１（Ｂ））のときよりも低く設定されるようになっている。更に、揺動部材６０は、図１１（Ａ）に示すように、第１揺動位置のときには揺動壁部６２の上流側部分よりも下流側部分の方が低い第１傾斜状態となり、図１１（Ｂ）に示すように、第２回動位置のときには揺動壁部６２の上流側部分よりも下流側部分の方が高い第２傾斜状態となるように構成されている。
【００５３】
更に本実施形態では、図１１（Ａ）に示すように、揺動部材６０が第１揺動位置となったときに、揺動壁部６２の上流側端部６２ｂが固定壁部４９における下流側端部４９ａに当接若しくは近接するように配置されている。具体的には、図１２（Ａ）のように、主として固定壁部４９における下流側端部４９ａの幅方向両端部付近が揺動壁部６２の上流側端部６２ｂと当接するようになっている。この構成では、固定壁部４９の幅方向中央部付近と揺動壁部６２の幅方向中央部付近との間は若干のクリアランスが設けられているが、固定壁部４９や揺動壁部６２の若干の撓み変形などによって幅方向中央部付近同士も当接し得るようになっている。この構成では、下流側端部４９ａが「上流側規制部」（揺動壁部６２の上流側への回動を規制する部分）として機能することとなる。また、図１１（Ｂ）に示すように、揺動部材６０が第２揺動位置となったときには、揺動壁部６２の上流側端部６２ｂが固定壁部４９の下流側端部４９ａから離間すると共に、揺動壁部６２の上流側端部６２ｂの方が固定壁部６２の下流側端部４９ａよりも低い段差状態となり、且つ揺動壁部６２の上流側よりも下流側の方が高くなるように傾斜して配置されるようになっている。本実施形態では、図１２（Ａ）（Ｂ）に示すように、側壁部４５において揺動部材６０の揺動側壁部６４が嵌め合わされる溝部（凹部）４５ａが形成されており、揺動壁部６４がこの溝部４５ａ内において中心軸線Ｇ１を中心として揺動（回動）するようになっている。そして、図１２（Ｂ）に示す第２揺動位置では、揺動側壁部６４の前面部が溝部４５ａの前方側の内壁（当接部４５ｂ）に当接するようになっており、この当接部４５ｂによって揺動壁部６２の下流側への回動を規制している。また、図１１（Ｂ）に示すように、第２揺動位置では、揺動壁部６２の上面部が側壁部４４（図１２等）の前方側の下端部（当接部４４ｂ）にも当接するようになっており、この当接部４４ｂによっても揺動壁部６２の下流側への回動を規制している。なお、本実施形態では、これら当接部４４ｂ（図１１（Ｂ））及び当接部４５ｂ（図１２（Ｂ））が「下流側規制部」として機能している。
【００５４】
（第１実施形態の主な効果）
本実施形態に係る遊技機１では、前枠４の閉塞時には下流側通路１５ｂと上流側通路１５ａとが隣接して球払出通路１５が連続すると共に揺動部材６０が第１揺動位置（遊技球が通過可能な位置）に設定されるため、内枠３側から前枠４側に遊技球を良好に流下させることができる。一方、前枠４の開放時には、押圧部９９による延出部６９に対する押圧が解除され、ねじりばね７０の付勢によって揺動部材６０が第２揺動位置（遊技球が通過不能となる位置）に設定されるため、下流側通路１５ｂと上流側通路１５ａとが離間して球払出通路１５が分断されても、上流側通路１５ａから遊技球が零れ落ちにくくなる。更に、本実施形態で用いられる揺動部材６０は、中心軸線Ｇ１が上壁部４２と底壁部４３との間の通路内に配置されるように構成され、且つ第１揺動位置から第２揺動位置に変化するに伴い、揺動壁部６２の下流側端部６２ａが下流側に移動しつつ上壁部４２（他方の壁部）に接近するように構成されている。このようにすると、前枠４の開放に伴い、第１揺動位置のときに底壁部４３（一方の壁部）として機能していた部分を、少ない揺動動作で遮断部材として良好に機能させることができる。特に、本実施形態のように中心軸線Ｇ１が通路内に配置される構成では、揺動部材６０の側部を大きく確保する必要がないため揺動部材６０全体をよりコンパクトに構成しつつ、少ない揺動動作で遮断部材として良好に機能させることができるようになる。また、揺動部材６０において中心軸線Ｇ１から揺動壁部６２に続く連結部分（即ち揺動側壁部６３、６４）が流路の側方に配置される格好となるため、このような連結部分のスペースを流路の上方側や下方側に大きく確保する必要がなく、全体として高さ方向（上下方向）のコンパクト化を図ることができる。また、当該揺動壁部６２付近を流れる遊技球の流下の向きと同じ側に揺動壁部６２を変位させながら当該揺動壁部６２を通路内に進入させて堰き止めることができるため、前枠４開放時に揺動壁部６２付近を流下する遊技球についても堰き止めやすく、より零れにくい構成を実現できる。また、揺動壁部６２を全体的に下流側にスライドさせて上流側通路１５ａ内に進入させることができるため、第２回動位置のときにより球圧に強い構成となる。
【００５５】
また、本実施形態では、揺動部材６０が、上流側通路１５ａの幅方向両側に配置される一対の揺動側壁部６３、６４を備えている。そして、これら一対の揺動側壁部６３、６４のそれぞれの一端側が揺動可能に支持され、それぞれの他端側に揺動壁部６２が架け渡されて配置されている。このようにすると、シャッター部材の端部付近を回動軸として片持ち状に支持するような構成（特許文献１のような構成）と比較して衝撃に強く耐久性に優れることとなる。特に、両揺動側壁部６３、６４に架け渡された揺動壁部６２によって流下する遊技球を受けることができるため、揺動壁部６２全体で球圧を良好に吸収できる。
【００５６】
また、本実施形態では、揺動部材６０が第２揺動位置にあるとき、揺動壁部６２の下流側端部６２ａが第１揺動位置のときよりも高く設定され、揺動壁部６２の上流側端部６２ｂが第１揺動位置のときよりも低く設定されるように構成されている。このように揺動壁部６２を変位させると、一端側を固定して他端側を上下動させるような構成（例えば特許文献１のような構成）と比較してより少ない動きで迅速に傾斜状態を変更でき、特に揺動壁部６２付近（例えば揺動壁部６２の上流側近傍）を遊技球が流下しているときに前枠４が開放される場合に有利となる。
【００５７】
また、本実施形態では、揺動部材６０は、第１揺動位置のときには揺動壁部６２の上流側部分よりも下流側部分の方が低い第１傾斜状態となり、第２回動位置のときには揺動壁部６２の上流側部分よりも下流側部分の方が低い第２傾斜状態となるように構成されている。このように揺動壁部６２を変位させると、前枠４閉塞時の第１揺動位置のときには揺動壁部６２上を遊技球が迅速かつ円滑に流下し易くなり、前枠４開放時の第２揺動位置のときには揺動壁部６２全体で球圧を確実に受けて遮断効果を高めることができる。
【００５８】
また、本実施形態では、底壁部４３が揺動壁部６２の上流側に配置される固定壁部４９を備えている。そして、揺動部材６０は、第１揺動位置のときに、揺動壁部６２の上流側端部６２ｂが固定壁部４９の下流側端部４９ａに当接又は近接して配置され、第２揺動位置のときに、揺動壁部６２の上流側端部６２ｂが固定壁部４９の下流側端部４９ａから離間すると共に、揺動壁部６２の上流側端部６２ｂの方が固定壁部４９の下流側端部４９ａよりも低い段差状態となり、且つ揺動壁部６２の上流側よりも下流側の方が高くなるように傾斜して配置されるように構成されている。このようにすると、前枠４閉塞時の第１揺動位置のときには揺動壁部６２の上流側端部６２ｂと固定壁部４９の下流側端部４９ａとを位置的に揃えて遊技球が流下し易くすることができる。一方、前枠４開放時の第２揺動位置のときには、揺動壁部６２の上流側端部６２ｂの方が固定壁部４９の下流側端部４９ａよりも低い段差状態となるため、この段落ち部分に遊技球を停留させることができる。従って、揺動壁部６２の下流側に加わる球圧を低減することができ、ひいては球圧に起因する球零れを効果的に抑制できる。
【００５９】
また、本実施形態では、固定壁部４９において揺動壁部６２の上流側への回動を規制する上流側規制部が設けられている。このようにすると、固定壁部４９の一部を揺動壁部６２の回動規制に兼用することができ、部品点数を抑えた簡易且つ小型構成で効率的に回動を規制することができる。また、固定壁部４９に対して揺動壁部６２を安定的に位置決めしやすく、位置ずれに起因する流下の阻害を効果的に抑制しやすくなる。
【００６０】
具体的には、固定壁部４９の下流側端部４９ａを上流側規制部として機能させ、第２揺動位置のときに揺動壁部６２の上流側端部６２ｂが固定壁部４９の下流側端部４９ａと当接することで揺動壁部６２の上流側への回動が規制されるように構成されている。このようにすると、固定壁部４９の下流側端部４９ａを上流側規制部として機能させると共に回動規制時に当該下流側端部４９ａと揺動壁部６２の上流側端部６２ｂとを位置的に揃えやすくなる。また、回動規制時に揺動壁部６２が固定壁部４９の下方に入り込まない構成となるため、高さ方向（上下方向）においてコンパクト化を図ることができる。
【００６１】
また、本実施形態では、上流側通路１５ａが、当該上流側通路１５ａの幅方向（即ち、上壁部４２と底壁部４３との対向方向と交差する横方向）両側に対向して配置される一対の側壁部４４、４５を備えている。そして、側壁部４４、４５に、揺動壁部６２の下流側への回動を規制する当接部４４ｂ（図１１（Ｂ））、当接部４５ｂ（図１２（Ｂ））（これら当接部４４ｂ、４５ｂは「下流側規制部」の一例に相当）が形成されている。このようにすると、側壁部４４に固定された部品を揺動壁部６２の回動規制に兼用することができ、部品点数を抑えた簡易且つ小型構成で効率的に回動を規制することができる。
【００６２】
また、本実施形態では、揺動部材６０において、揺動壁部６２の上流側の所定位置から下方に延出する延出部６９が設けられ、押圧部９９が、下流側通路１５ｂの底壁部９１（底部）の前方側に設けられている。そして、前枠４の閉塞時には、下流側通路１５ｂの底壁部９１（底部）が揺動壁部６２の下方に配置されると共に押圧部９９が延出部６９を上流側に押し出すことで揺動部材６０が第１揺動位置に設定され、前枠４の開放時には、下流側通路１５ｂの押圧部９９が延出部６９から離間することで当該押圧部９９による押圧が解除され、ねじりばね７０によって揺動壁部６２が第２揺動位置に戻されるようになっている。このようにすると、前枠４の開放後、ある程度の開放位置までは揺動壁部６２の下方に下流側通路１５ｂの底部が存在し続けるため、仮に前枠４開放時に遊技球が揺動壁部６２を通りぬけてしまい、前枠４側に流下してしまったとしても下流側通路１５ｂの底部によって受けやすくなり、前枠４開放時の球零れをより一層効果的に防ぐことができる。
【００６３】
［他の実施形態]
本発明は上記記述及び図面によって説明した実施形態に限定されるものではなく、例えば次のような実施形態も本発明の技術的範囲に含まれる。
【００６４】
上記実施形態では遊技機の一例としてパチンコ機について説明したが、他に例えばアレンジボール遊技機、雀球遊技機等の球払出通路設けられる遊技機に適用することができる。
【００６５】
上記実施形態では、揺動部材６０の中心軸線Ｇ１が上流側通路１５ａの通路内に配される構成を例示したが、中心軸線Ｇ１が通路を挟んだ上壁部４２（他方の壁部）側（例えば上壁部４２内を通る位置、或いは通路外における上壁部４２付近を通る位置等）となるように構成してもよい。このようにすると、揺動部材の揺動半径を比較的大きく確保することができるため、より少ない角度変化で遮断部材として良好に機能させることができるようになる。また、この場合にも、揺動部材において中心軸線から揺動壁部６２に続く連結部分が流路の側方に配置される格好となるため、このような連結部分のスペースを流路の上方側や下方側に大きく確保する必要がなく、全体として高さ方向（上下方向）のコンパクト化を図ることができる。
【００６６】
上記実施形態では、側壁部４４、４５に形成された当接部４４ｂ、４５ｂによって揺動壁部６２の下流側への回動を規制していたが、側壁部４４、４５に固定された部材によって揺動壁部６２の下流側への回動を規制してもよい。例えば、プレート８７の形状を若干変形させ、第２揺動位置のときに揺動壁部６２が当接するように構成してもよい。
【符号の説明】
【００６７】
１…遊技機
３…内枠
４…前枠
５…遊技盤
９…球受皿
１４…球払出装置
１５…球払出通路
１５ａ…上流側通路
１５ｂ…下流側通路
２０…誘導部
３０…方向転換部
４０…出口側通路部
４２…上壁部
４３…底壁部
４４、４５…側壁部（支持部）
４９…固定壁部
４９ａ…下流側端部（上流側規制部）
６０…揺動部材
６２…揺動壁部
７０…ねじりばね（付勢手段）
８７ａ…当接部（下流側規制部）
【図１】
2011130946.tif 000003
【図２】
2011130946.tif 000004
【図３】
2011130946.tif 000005
【図４】
2011130946.tif 000006
【図５】
2011130946.tif 000007
【図６】
2011130946.tif 000008
【図７】
2011130946.tif 000009
【図８】
2011130946.tif 000010
【図９】
2011130946.tif 000011
【図１０】
2011130946.tif 000012
【図１１】
2011130946.tif 000013
【図１２】
2011130946.tif 000014
【図１３】
2011130946.tif 000015